(57)【要約】  本開示に係る冷蔵庫は、冷蔵庫本体に設けられている機械室と、機械室に配置され、フィン群にパイプが貫設されて構成されている凝縮器と、を備えている。凝縮器は機械室に宙づり状態に配設されている。これにより、凝縮器に伝播しようとする振動は、凝縮器にそのまま伝播することなく吸収される。さらに、凝縮器に伝播する弱い振動があったしても、振動が冷蔵庫本体に伝わることが抑制される。したがって、冷蔵庫本体の振動を効率よく抑制することができる。
2017006565.tif 000002
【特許請求の範囲】
【請求項１】
冷蔵庫本体に設けられている機械室と、
前記機械室に配置され、フィン群にパイプが貫設されて構成されている凝縮器と、を備え、
前記凝縮器は前記機械室に宙づり状態に配設されている冷蔵庫。
【請求項２】
前記凝縮器は圧縮機からの冷媒配管につながる入口側パイプを備え、
前記入口側パイプは前記機械室に固定されている支持具で弾性支持されている請求項１記載の冷蔵庫。
【請求項３】
前記支持具の一端は前記機械室の一部に固定されており、
前記支持具の他端に設けられたリング状部が前記入口側パイプを抱き込んで支持することで、前記凝縮器が宙づり状態に支持される請求項２に記載の冷蔵庫。
【請求項４】
前記凝縮器の入口側パイプ及び出口側パイプは、前記凝縮器の上下左右いずれか一方側にまとめて配置されている請求項１に記載の冷蔵庫。
【請求項５】
前記凝縮器の下端面が防振フォームで支持されている請求項１に記載の冷蔵庫。
【発明の詳細な説明】
【技術分野】
【０００１】
本開示は冷蔵庫に関し、特に凝縮器に関する。
【背景技術】
【０００２】
一般に冷蔵庫は、圧縮機、凝縮器、放熱パイプ、キャピラリーチューブ、および冷却器が順次環状に接続されて構成されている冷凍サイクルに冷媒が封入され、冷却運転が行われる。そして、上記凝縮器は圧縮機の近傍に設けられ、ファンによって空冷される（例えば、特許文献１参照）。【０００３】
図１９は特許文献１に記載の冷蔵庫を示している。当該冷蔵庫は冷蔵庫本体２０１の上部機械室２０２に圧縮機２０３とともに凝縮器２０４を備えている。そして、圧縮機２０３及び凝縮器２０４はファン２０５によって空冷される。【０００４】
上記従来の構成によれば、圧縮機２０３と凝縮器２０４がコンパクトに配置され、圧縮機２０３と凝縮器２０４が効率よく空冷される利点がある。【０００５】
しかしながら、凝縮器２０４が圧縮機２０３に近接しているため、圧縮機２０３の振動が凝縮器２０４に伝播しやすい。そのため、凝縮器２０４が振動し、当該振動が冷蔵庫本体２０２に伝わって振動音が発生する、という課題があった。
【先行技術文献】
【特許文献】
【０００６】
【特許文献１】特開２０１１−２０２９０４号公報
【発明の概要】
【０００７】
本開示は上記課題を解決するもので、振動音が低減された冷蔵庫の提供を目的としたものである。
【０００８】
上記目的を達成するため、本開示に係る冷蔵庫は、冷蔵庫本体に設けられている機械室と、機械室に配置され、フィン群にパイプを貫設して構成されている凝縮器とを備えている。凝縮器は機械室に宙づり状態に設置されている。
【０００９】
凝縮器が宙づり状態となっているので、凝縮器に伝播しようとする振動は、そのまま凝縮器に伝播することなく吸収される。さらに、凝縮器に伝播する弱い振動があったとしても、当該振動が冷蔵庫本体に伝わることが抑制される。したがって、冷蔵庫本体の振動を効率よく抑制することができる。
【００１０】
本開示の冷蔵庫は、上記構成により、凝縮器から伝わって生じる冷蔵庫本体の振動音を抑制でき、冷蔵庫の静音化を実現できる。
【図面の簡単な説明】
【００１１】
【図１】図１は、本開示の実施の形態１における冷蔵庫を示す概略断面を示す図である。
【図２】図２は、同冷蔵庫の上部機械室を示す分解斜視図である。
【図３】図３は、同冷蔵庫の上部機械室に設置されている凝縮器周辺の斜視図である。
【図４】図４は、同凝縮器の側面図である。
【図５】図５は、本開示の実施の形態２における冷蔵庫の凝縮器を示す側面図である。
【図６】図６は、本開示の実施の形態３における冷蔵庫の凝縮器を示す斜視図である。
【図７】図７は、同実施の形態３における冷蔵庫の凝縮器を示す側面図である。
【図８】図８は、本開示の実施の形態４における冷蔵庫の斜視図である。
【図９】図９は、同冷蔵庫の断面図である。
【図１０】図１０は、同冷蔵庫の背面斜視図である。
【図１１】図１１は、同冷蔵庫の機械室部分を示す分解斜視図である。
【図１２】図１２は、同冷蔵庫の機械室部分を示す背面透視図である。
【図１３】図１３は、同冷蔵庫の凝縮器となる熱交換器の側面図である。
【図１４】図１４は、同冷蔵庫の凝縮器となる熱交換器を正面から見たフィン拡大正面図である。
【図１５】図１５は、同冷蔵庫の凝縮器となる熱交換器の要部拡大側面図である。
【図１６】図１６は、同冷蔵庫の凝縮器となる熱交換器のフィンの作用説明図である。
【図１７】図１７は、同冷蔵庫の凝縮器となる熱交換器のフィン平面図である。
【図１８】図１８は、同冷蔵庫の凝縮器となる熱交換器のフィンの作用説明図である。
【図１９】図１９は、従来の冷蔵庫とその凝縮器周辺を示す斜視図である。
【発明を実施するための形態】
【００１２】
第１の態様に係る冷蔵庫は、冷蔵庫本体に設けられている機械室と、機械室に配置され、フィン群にパイプを貫設して構成されている凝縮器とを備えている。凝縮器は機械室に宙づり状態に配設されている。
【００１３】
凝縮器が宙づり状態に配設されているので、凝縮器に伝播しようとする振動はそのまま凝縮器に伝播することなく吸収される。さらに、凝縮器が宙づり状態であるため、凝縮器に伝播する弱い振動があったとしても、当該振動が冷蔵庫本体に伝わることが抑制される。したがって、冷蔵庫本体の振動を効率よく抑制することができる。
【００１４】
第２の態様は、第１の態様において、凝縮器は圧縮機からの冷媒配管につながる入口側パイプを備えている。入口側パイプは、機械室に固定されている支持具で弾性支持されている。
【００１５】
これにより、振動の伝播口となる入口側パイプで振動が吸収されることになる。したがって、凝縮器自体の振動抑制効果が高まり、さらに効率よく冷蔵庫本体の振動を抑制して静音化を図ることができる。
【００１６】
第３の態様は、第２の態様において、支持具の一端は機械室の一部に固定されている。支持具の他端に設けられているリング状部が入口側パイプを抱き込んで支持することで、凝縮器が宙づり状態に支持される。
【００１７】
これにより、支持具が片持ち梁のような構成となり支持具自身でも振動吸収効果を発揮するようになる。したがって、凝縮器の振動抑制効果を一段と高めて、更なる静音化を達成することができる。
【００１８】
第４の態様は、第１の態様において、凝縮器の入口側パイプ及び出口側パイプは凝縮器の上下左右いずれか一方側にまとめて配置されている。
【００１９】
これにより、凝縮器の入口側及び出口側パイプがつながっていない側の端部は動きを規制されることなく自由に動くことができる。したがって、振動吸収効果が高まり、さらに効率よく凝縮器の振動を抑制して静音化を図ることができる。
【００２０】
第５の態様は、第１の態様において、凝縮器の下端面が防振フォームで支持されている。
【００２１】
これにより、凝縮器は防振フォームの微弱な弾性力によって支持されることになり、宙づり支持していても伝播する弱い振動が確実に吸収される。したがって、更なる静音化を実現できる。
【００２２】
以下、本開示の実施の形態について、図面を参照しながら説明する。なお、この実施の形態によってこの開示が限定されるものではない。
【００２３】
（実施の形態１）
図１は本開示の実施の形態１における冷蔵庫を示す概略断面を示す図である。
【００２４】
図１に示すように、冷蔵庫１は、冷蔵庫本体２、冷蔵庫本体２の背面上部に設置された上部機械室３、凝縮器４、第１のファン５、および圧縮機６を備えている。上部機械室３には、風上から順に凝縮器４、第１のファン５、および圧縮機６が設置されており、第１のファン５を駆動することにより冷蔵庫上部の空気７が吸引される。これにより、凝縮器４と圧縮機６が空冷される。
【００２５】
また、第１のファン５はファンリング８に取り付けられ、ファンリング８は上部機械室３内の風路を第１のファン５の風上側と風下側に区分している。
【００２６】
なお、図１に示されるように、冷蔵庫１は、冷蔵庫本体２の背面下部に設置された下部機械室１１、第２のファン１２、庫内（図示せず）の除霜水を貯留する蒸発皿１３、および冷蔵庫本体２の背面コーナー部に設けられた連通風路１４をさらに備えている。下部機械室１１には、風上から順に第２のファン１２、および、蒸発皿１３が設置されている。第２のファン１２が駆動されることにより、冷蔵庫本体２の下部付近の空気９が吸引される。これにより、蒸発皿１３に貯留された除霜水の蒸発が促進されるとともに、蒸発皿１３と連通風路１４を介して凝縮器４に除霜水の蒸発により冷却された空気が供給される。
【００２７】
このように、第２のファン１２が凝縮器４を冷却する機能と蒸発皿１３に溜まった除霜水を蒸発促進する機能とを兼用して有することにより、簡易な構成で除霜水の蒸発により外気よりも温度が低下した空気を凝縮器に供給することができる。これにより、上部機械室３において効率よく放熱を行なうことができる。
【００２８】
また、上部機械室３に主要な発熱源となる圧縮機６と凝縮器４が配置されているため、第２のファン１２が吸入する冷蔵庫本体２の下部付近の空気９は、冷蔵庫本体２の上方の空気よりも比較的低い温度となる。したがって、下部機械室１１には主要な発熱源を設けないことが望ましい。ただし、第２のファン１２の蒸発促進効果だけでは蒸発皿１３内の除霜水が十分蒸発されない場合は、凝縮器４よりも十分能力の小さい放熱器（図示せず）を蒸発皿１３内に配置してもよい。
【００２９】
図２は同実施の形態１における冷蔵庫の上部機械室カバーを外した斜視図である。
【００３０】
図２に示すように、冷蔵庫１は、上部機械室カバー２１、上部機械室カバー２１に設けられ冷蔵庫１の上方から空気９を吸入する吸入側天面グリル２２、上部機械室カバー２１に設けられ連通風路１４から空気９を吸入する吸入側背面グリル２３、および、冷蔵庫１の上方へ排気する吐出側グリル２４を備えている。
【００３１】
上記吸入側背面グリル２３は、連通風路１４の上方において、冷蔵庫本体２の壁面から凹んだ形状に構成されている。これにより、冷蔵庫１の背面や側面が壁に近接して設置された場合でも、吸入側背面グリル２３は連通風路１４と連通することができる。この結果、上述したように、システムキッチンなどの限られた空間に冷蔵庫１が設置された場合に、吸入側背面グリル２３を介して連通風路１４から空気が吸入されることで、上部機械室３から上方に排出された高温の排気の影響を顕著に抑制することができる。
【００３２】
図３は同実施の形態１における冷蔵庫の上部機械室に設置した凝縮器周辺の斜視図である。図４は同凝縮器の側面図である。
【００３３】
図３および図４において、凝縮器４は多数のフィン群３１にパイプ３２が貫設されて構成されたプレートフィン型凝縮器である。そして、凝縮器４の入口側パイプ３２ａは圧縮機６からの冷媒配管３３と接続され、出口側パイプ３２ｂは上部機械室３から冷蔵庫本体２内の発泡断熱材（図示せず）中へと入り込んでいる。
【００３４】
また、凝縮器４は、冷蔵庫１の上下方向に沿って配設されている。凝縮器４の上部に位置する入口側パイプ３２ａがバネ材で形成された支持具３４によって弾性支持されることで、凝縮器４は上部機械室３内に宙づり状態で設置されている。すなわち、支持具３４の一端が上部機械室３の仕切壁３ａにビス３５でビス止めされ、支持具３４の他端に設けられたリング状保持部３６に入口側パイプ３２ａが通されることで、支持具３４により凝縮器４が宙吊り状態に保持される。
【００３５】
そして、支持具３４のリング状保持部３６にはゴムブッシュなどの弾性体３７が設けられ、弾性体３７を介して入口側パイプ３２ａが保持されている。なお、出口側パイプ３２ｂは凝縮器４の下部に位置していて、上記した如く冷蔵庫本体２内の発泡断熱材中へと入り込んでいる。
【００３６】
以上のように構成された本開示の実施の形態１における冷蔵庫について、以下その動作を説明する。
【００３７】
第１のファン５および第２のファン１２は圧縮機６に連動して同時に駆動するように制御される。これによって、吸入側天面グリル２２を介して、冷蔵庫１の冷蔵庫本体２の背面上部から空気９が吸引され、凝縮器４および圧縮機６を冷却する。さらに、下部機械室１１、連通風路１４、および吸入側背面グリル２３を介して、背面下部の空気９が吸引されることで、上部機械室３から上方に排出された高温の排気の影響を顕著に抑制することができる。
【００３８】
なお、外気温が比較的低い場合は、省エネルギー化のために第２のファン１２を停止して、第１のファン５だけを圧縮機６に連動させて駆動してもよい。また、蒸発皿１３内の除霜水を蒸発させる能力を高めたい場合は、必要に応じて第２のファン１２を駆動してもよい。
【００３９】
このようにして冷却されている圧縮機６は冷媒の吸引・圧縮・吐出によって振動し、当該振動は圧縮機出口側の冷媒配管３３から入口側パイプ３２ａを介して凝縮器４に伝播しようとする。
【００４０】
しかしながら、上記凝縮器４に伝播する振動は、凝縮器４が宙づり状態となっているので、そのまま伝播することなく減衰される。しかも、凝縮器４に伝播する弱い振動があったとしても凝縮器４が宙づり状態のため、当該振動が冷蔵庫本体２に伝わるようなことが抑制される。したがって、凝縮器４の振動に起因して生じる冷蔵庫本体２の振動を効率よく抑制することができる。
【００４１】
特に本実施の形態では、凝縮器４が支持具３４で弾性支持され、支持具３４による凝縮器４の弾性支持は、圧縮機６からの冷媒配管３３につながる入口側パイプ３２ａ部分で行われている。これにより、振動の伝播を効率よく低減させることができる。
【００４２】
すなわち、振動の伝播口となる入口側パイプ３２ａで振動が吸収されることになるので、凝縮器４自体の振動抑制効果が高まり、さらに効果的に冷蔵庫本体２の振動を抑制して静音化を図ることができる。
【００４３】
しかも、圧縮機６の冷媒配管３３から伝播する振動は弾性体３７によっても吸収される。したがって、弾性体３７による振動吸収効果も加わって凝縮器４の振動は更に抑制され、効果的に静音化を図ることができる。
【００４４】
更に、凝縮器４を支持する支持具３４はその一端が上部機械室３の仕切壁３ａにビス３５でビス止めされている。そして、支持具３４の他端に設けられたリング状保持部３６が凝縮器４の入口側パイプ３２ａを抱き込んで、凝縮器４を弾性支持する。この構成により、支持具３４が片持ち梁のような構成となって支持具３４自身の上下方向への弾性変形によって振動を吸収する。したがって、凝縮器４の振動抑制効果を一段と高めることができ、更なる静音化を達成することができる。
【００４５】
なお、支持具３４がバネ材で構成されることで、振動抑制効果を効果的に高めることができる。
【００４６】
（実施の形態２）
図５は実施の形態２における凝縮器の側面図である。
【００４７】
この実施の形態２における凝縮器４においては、図５の破線３２ａａで示すように入口側パイプ３２ａが凝縮器４の下端部から引き出されて、凝縮器４の奥側の下部に出口側パイプ３２ｂとまとめて配置されている。
【００４８】
これにより、凝縮器４の入口側パイプ３２ａ及び出口側パイプ３２ｂがつながっていない側の上端部は、入口側パイプ３２ａ等によって動きを規制されることなく自由に動くことができる。したがって、凝縮器４は宙吊り効果と合わさって振動吸収効果が高まり、さらに効率よく凝縮器４の振動を抑制して静音化を図ることができる。
【００４９】
なお、入口側パイプ３２ａ及び出口側パイプ３２ｂは凝縮器４の上端部側或いは左右いずれか一方側にまとめて配置されてもよい。
【００５０】
（実施の形態３）
図６は実施の形態３における凝縮器の斜視図である。図７は同凝縮器の側面図である。
【００５１】
この実施の形態３における凝縮器４の一端側は、入口側パイプ３２ａ及び出口側パイプ３２ｂが凝縮器４の奥側（図６では凝縮器４の右側端部、図７では凝縮器４の奥側端部）でつながっている。また、凝縮器４の他端側は自由端４ａとなっている。自由端４ａの下端面と機械室底面との間にウレタンフォーム等からなる防振フォーム３８が介在している。
【００５２】
これにより、凝縮器４の自由端４ａは防振フォーム３８の微弱な弾性力によっても支持される。その結果、自由端４ａで生じる振動を効果的に減衰させることができる。すなわち、ウレタンフォーム等の防振フォーム３８はゴムのような弾性部材に比べかなり柔軟で微妙な復元力を持っている。これにより、宙づり支持構成でも伝播する弱い振動が確実に吸収され、当該振動を効果的に減衰させることができる。したがって、凝縮器４の振動抑制作用の確実性が高まる。その結果、凝縮器４全体の振動をより確実に抑制でき、更なる静音化を実現できる。
【００５３】
なお、実施の形態３では凝縮器４の一端部側にパイプがつながっていて他端部側が自由端４ａとなるタイプの凝縮器支持構成で説明したが、このような支持構成でなくてもよい。少なくとも、凝縮器４の下端面を弾性的に支持するような構成で防振フォーム３８を用いればよい。
【００５４】
（実施の形態４）
以下、本開示の実施の形態４について、熱交換器を冷蔵庫の凝縮器として用いた構成を例にし、その図面を参照しながら説明する。
【００５５】
図８は本開示の本実施の形態４における冷蔵庫の斜視図である。図９は同冷蔵庫の断面図である。図１０は同冷蔵庫の背面斜視図である。図１１は同冷蔵庫の機械室部分を示す分解斜視図である。図１２は同冷蔵庫の本体と機械室ケースを示す背面斜視図である。
【００５６】
図８〜図１２に示されるように、冷蔵庫は、冷蔵庫本体１０１と、主に鋼板を用いた外箱１０２と、ＡＢＳ樹脂などの硬質樹脂で成型された内箱１０３と、外箱１０２と内箱１０３との間に充填された硬質発泡ウレタン等の発泡断熱材１０４とを備えている。そして、冷蔵庫本体１０１においては、外箱１０２と内箱１０３との間の側面、背面、および天面に真空断熱材１０５が配設されている。
【００５７】
冷蔵庫本体１０１の内部には、冷蔵室１０６、冷凍室１０７、野菜室１０８等の複数の貯蔵室が設けられており、扉１０９で開閉自在となっている。そして、冷蔵庫本体１０１の冷凍室１０７背面部分には冷却室１１０が設けられている。冷却室１１０に設けられた冷却器１１１で生成された冷気が送風ファン１１２により、冷蔵室１０６、冷凍室１０７、野菜室１０８等に供給される。
【００５８】
また、冷蔵庫本体１０１の上部後方には図１１に示すように機械室１１４が設けられている。機械室１１４には、冷却器１１１とともに冷凍回路を構成する凝縮器１１５および圧縮機１１６、ならびに、凝縮器１１５および圧縮機１１６を冷却する冷却ファン１１７が風上側から順に設置されている。
【００５９】
機械室１１４の上部及び背部は、機械室カバー１１８によって覆われている。機械室カバー１１８には吸気用のスリット開口１１９と排気用の開口１２０が設けられている。冷却ファン１１７の回転により外気がスリット開口１１９から吸引されて凝縮器１１５と圧縮機１１６が空冷され、開口１２０から排気される。
【００６０】
スリット開口１１９は凝縮器１１５の後述する山形形状の頂点部分と対向するように水平方向に設けられている。
【００６１】
次に、凝縮器１１５となる熱交換器の構成を図１３〜図１８を用いて説明する。
【００６２】
図１３は凝縮器となる熱交換器の側面図である。図１４は同熱交換器を正面から見たフィン拡大正面図である。図１５は同熱交換器の要部拡大側面図である。図１６は同熱交換器のフィンの作用説明図である。図１７は同熱交換器のフィン平面図である。図１８は同熱交換器のフィン表面の作用説明図である。
【００６３】
図１３〜図１８において、熱交換器を構成するアルミニウム合金で形成された薄い板状の縦長のフィン１２１は、空気が流動する間隔１２２を介して多数枚並設されている。フィン１２１を貫通し、かつ内部を冷媒が流動する複数のパイプ１２３は、例えば４列、上下多段に折り曲げられている。熱交換器の空気流入側端面１２４には、上下方向の全体に連続して複数の埃付着軽減部１２５が配設されている。
【００６４】
複数の埃付着軽減部１２５は、特に綿状の埃が付き難いように形状的に工夫されており、フィン１２１の間の埃目詰まりによる熱交換器の風量低下を防止する。図１５に示すように、埃付着軽減部１２５は、上向きに傾斜している上向端面１２６と、上向端面１２６より短く、上向端面１２６の真下に位置する水平状態（略水平状態を含む）の下向端面１２７とで埃の付き難い三角山形形状に構成されている。埃付着軽減部１２５を複数連続させて配設することで、空気流入側端面１２４の全体を略鋸歯状としている。
【００６５】
埃付着軽減部１２５を構成する上向端面１２６と下向端面１２７とが交差する山形形状部１２８は、その頂点部分のフィン表面が、図１７のフィンの正面図、図１６の平面図、および図１８の作用説明図に示すように、空気流れに対して傾斜する傾斜面１２９となる。さらに、山形形状部１２８のフィン面は、傾斜面１２９よりも下流側を傾斜面１２９と交差する方向に更に傾斜させた下流側傾斜面１３０を備えている。
【００６６】
また、フィン１２１は、図１７に示すように、空気の流れ方向全域（図１７のフィン１２１左端から右端までの間）にわたってジグザグ形状である。
【００６７】
なお、山形形状部１２８の先端には図１６に示すようにアール１３１が設けられている。これにより、使用者に安全となるように配慮されている。また、凝縮器１１５のフィン下流側端面は直線状の平坦面となっている。
【００６８】
以上のように構成された本実施の形態における冷蔵庫及びその凝縮器１１５となる熱交換器について、以下その動作を説明する。
【００６９】
まず、冷蔵庫としては、圧縮機１１６の運転により圧縮された冷媒が、冷却器１１１で蒸発して冷気を生成する。生成された冷気は、送風ファン１１２により冷蔵室１０６、冷凍室１０７、野菜室１０８等に供給され、食品を冷却する。
【００７０】
そして、冷媒は凝縮器１１５に流れる。冷媒は凝縮器１１５にて、冷却ファン１１７により機械室カバー１１８のスリット開口１１９から吸引される外気と熱交換して凝縮される。そして、冷媒は再び圧縮機１１６へと戻って上記動作を繰り返す。
【００７１】
ここで、凝縮器１１５と熱交換する外気は空気流入側端面１２４より凝縮器１１５内に入り、フィン１２１を介してパイプ１２３と熱交換を行い、フィン１２１同士の間の間隔１２２を流れて凝縮器１１５を通過することになる。
【００７２】
この時、大気中の埃、特に綿状の埃が、フィン１２１の空気流入側端面１２４に引っかかって堆積し始めると、間隔１２２が目詰まりを起こして熱交換能力の低下を引き起こすことになる。
【００７３】
しかしながら、本実施の形態の凝縮器１１５においては、空気流入側端面１２４に設けられている埃付着軽減部１２５により、埃の堆積が難しくなるので、熱交換能力の低下を抑制することができる。
【００７４】
すなわち、凝縮器１１５の空気流入側端面１２４を構成する埃付着軽減部１２５の上向端面１２６、および下向端面１２７は、図１６の実線矢印で示す流入空気に対する角度が小さくなり、埃が付き難い。
【００７５】
詳述すると、埃付着軽減部１２５の上向端面１２６は流入する空気流に対して傾斜している。これにより、空気中に混入している埃のうち上向端面１２６に当った大半の埃は、上向端面１２６の傾斜に沿って下流側へ流れて谷部に集中して堆積し始める。上向端面１２６の寸法が長いので、埃は全体に薄く堆積した状態となり、空気抵抗の上昇が抑制される。また下向端面１２７においては、下向端面１２７が水平状態（略水平状態を含む）であって空気流と同じ方向の端面となる。したがって、埃の堆積自体がほとんど生じなくなるとともに、埃が堆積したとしても重力と空気流により落ちてしまう。
【００７６】
そして、長い使用期間を経て一方の上向端面１２６に埃が徐々に堆積してフィン１２１間に目詰まりを生じ始めたとしても、他方の下向端面１２７では埃の堆積がそれほど進んでいないので、下向端面１２７におけるフィン１２１間が空気バイパス路１２１ａとなって点線矢印で示すように空気が流れる。
【００７７】
すなわち、凝縮器１１５全体としてみた場合、埃による目詰まりの影響を長期間に亘って低減することができ、熱交換能力低下を抑制することができる。したがって、熱交換能力低下を抑制できる分、省エネ性を向上させることができる。
【００７８】
更に、この凝縮器１１５では、埃付着軽減部１２５の上向端面１２６と下向端面１２７とによって構成される山形形状部１２８の頂点部分のフィン表面が空気流れに対し傾斜する傾斜面１２９で構成されているので、更に埃の堆積が遅れ、上向端面１２６の目詰まりを抑制できる。
【００７９】
すなわち、埃付着軽減部１２５の上向端面１２６と下向端面１２７とが交差する山形形状部１２８に付着しようとする埃は、図１８の矢印ｂ、ｃ、ｄで示す空気流とともに山形形状部１２８の頂点端縁に引っかかることなくそのまま傾斜面１２９に沿いフィン１２１間のフィン表面を下流側へと流出するようになる。これは、図１８に示すように山形形状部１２８のフィン表面が空気の流れに対し傾斜しているからである。
【００８０】
そして、フィン先端断面も空気流の方向に対して傾斜しているので、山形形状部１２８の頂点部分の端縁に直接衝突する空気は図１８矢印ａで示すごく一部となるので、山形形状部１２８の頂点部に引っかかる埃自体を少なくすることができる。これにより、山形形状部１２８の頂点端縁に引っかかって上向端面１２６に沿い下流に流れ谷部に溜まる埃自体の量を少なくすることができる。
【００８１】
したがって、上向端面１２６に埃がたまることによって生じる空気抵抗の上昇を効果的に抑制でき、その分更に熱交換能力の低下を抑えて省エネ性・耐久性を向上させることができる。
【００８２】
加えて、山形形状部１２８においては、傾斜面１２９よりも下流側を傾斜面１２９と交差する方向に更に傾斜しているので、山形形状部１２８のフィン表面では図１８の矢印ｅで示すように頂点部分の傾斜面１２９とその下流側部分の下流側傾斜面１３０との間で乱流が生じることになる。当該乱流により気流の剥離現象が生じて埃の堆積が抑制される。
【００８３】
したがって、傾斜面１２９及びその下流の下流側傾斜面１３０部分の上向端面１２６に引っかかり堆積する埃を気流とともに剥離させて少なくすることができる。その結果、埃詰まりによる空気抵抗の上昇をさらに抑制して、省エネ性を向上させることができる。
【００８４】
さらに、フィン１２１は空気の流れ方向全域にわたってジグザグ形状であるので、フィン全域の表面で気流の剥離現象が生じ、空気の流れ方向全域にわたってフィン表面に埃が付着堆積しにくくなる。
【００８５】
したがって、熱交換能力低下をより効果的に抑制することができ、一段と省エネ性を高めることができる。
【００８６】
なお、フィン１２１の最も空気流入側となる部分のパイプ１２３を山形形状部１２８に対応する位置に設け、谷部には設けない構成としてもよい。これにより、更に熱交換能力の低下を抑制できる。
【００８７】
すなわち、上記構成により、谷部はパイプ１２３による空気流れの抵抗を受けにくいので埃詰まりが始まる初期時には空気の流速が早くなる。そして、谷部に堆積しようとする埃が当該流速の早い空気によって脱落する。その結果、谷部への埃堆積を遅延させることができる。
【００８８】
したがって、さらに熱交換能力の低下を抑制できて省エネ性・耐久性を向上させることができる。
【００８９】
また、本実施の形態で示す冷蔵庫は、凝縮器１１５に流れる外気を取り込むスリット開口１１９を凝縮器１１５の山形形状部１２８の頂点部分と対向するように設けてもよい。これにより、スリット開口１１９から流入する空気は、凝縮器１１５の埃付着軽減部１２５の山形形状部１２８に向かってその正面から流れ込むようになる。
【００９０】
したがって、山形形状部１２８の頂点部分の傾斜面１２９による埃付着軽減作用が効果的に発揮されるようになり、特に効果的に埃の堆積を抑制することができる。その結果、省エネ性・耐久性の高い機器とすることができる。
【００９１】
以上、本開示に係る冷蔵庫について、上記実施の形態を用いて説明してきたが、本開示は、これに限定されるものではなく、本開示の目的を達成する範囲内で種々変更可能であることは言うまでもない。
【００９２】
例えば本実施の形態では、熱交換器を凝縮器１１５として用いた場合を例示して説明したがこれに限られず、蒸発器として使用してもよい。
【００９３】
また、埃付着軽減部１２５は上向きに傾斜した上向端面１２６と水平状態（略水平状態を含む）の下向端面１２７の組み合わせによって構成された構造を例示したが、これに限られない。たとえば、上向端面１２６が水平（略水平を含む）で下向端面１２７が下向き傾斜していてもよいし、或いは、上向端面１２６及び下向端面１２７の両方とも傾斜していてその角度が互いに異なるものであってもよい。使用形態に応じて適宜選択すればよい。
【００９４】
また、熱交換器を適用する機器として冷蔵庫を例示したが、これに限られない。エアコン等の空調冷凍機器、或いは自動販売機やショーケース等の業務用の冷凍機器であってもよいも。
【００９５】
以上説明してきたように、本実施形態に係る冷蔵庫は、板状のフィンと、内部を冷媒が流動する複数のパイプと、フィンの空気流入側端面に配設されている埃付着軽減部を備えている。埃付着軽減部は、空気流入側が頂点となる上向端面および下向端面で構成されている山形形状部を備え、山形形状部の頂点部分のフィン表面は傾斜面である。
【００９６】
これにより、フィンの埃付着軽減部では、埃が山形形状部の上向端面を下流側に向かって滑って谷部に堆積していくので、上向端面部分での埃詰まりを軽減できる。また、下向端面では埃が重力等で落下するので埃堆積が非常に少なくなる。しかも、上向端面と下向端面によって構成される山形形状部の頂点部分のフィン表面は傾斜しているので、空気流入側端面から入る空気中の埃の大部分は当該傾斜面に当ってフィン表面を下流へと流れる。したがって、山形形状部の頂点端縁に引っかかる埃は極小となる。これにより、上述した上向端面を下流に向かって滑って谷部に堆積する埃自体を大幅に低減することができる。したがって、埃詰まりによる影響をさらに低減することができ、熱交換能力の低下を抑制して、省エネ性・耐久性を向上させることができる。
【００９７】
なお、山形形状部のフィン表面は傾斜面よりも下流側を傾斜面と交差する方向に更に傾斜していてもよい。
【００９８】
これにより、山形形状部の頂点部分ではフィン表面の傾斜面とその下流側部分の傾斜との間で乱流が生じ、当該乱流により気流の剥離現象が生じて埃が付着堆積しにくくなる。これにより、更に熱交換能力の低下を抑制して省エネ性・耐久性を向上させることができる。
【００９９】
なお、フィンは空気の流れ方向全域にわたってジグザグ形状としてもよい。
【０１００】
これにより、フィン全域の表面で気流の剥離現象が生じ、空気の流れ方向全域にわたってフィン表面に埃が付着堆積しにくくなる。したがって、熱交換能力の低下を効果的に抑制することができ、省エネ性・耐久性を高めることができる。
【０１０１】
なお、フィンの最も空気流入側となる部分に貫設したパイプは山形形状部に設け、谷部には設けない構成としてもよい。
【０１０２】
谷部はパイプによる空気流れの抵抗を受けにくいので埃詰まりが始まる初期時には空気の流速が早い。これにより、谷部に堆積しようとする埃が当該流速の早い空気によって脱落する。その結果、谷部への埃堆積を遅延させることができる。したがって、更に熱交換能力の低下を抑制できて、省エネ性・耐久性を向上させることができる。
【０１０３】
なお、上述した熱交換器を搭載した冷凍機器において、熱交換器は機器本体の機械室に設置されるとともに、機械室にはスリット開口を設け、当該スリット開口は熱交換器の山形形状部の頂点部分と対向するように設けてもよい。
【０１０４】
これにより、スリット開口から流入する空気は熱交換器の埃付着軽減部の山形形状部に向かって流れ込む。したがって、山形頂点部分に設けられた傾斜面による埃付着軽減作用が効果的に発揮されて、熱交換器に埃が付着堆積するのを効率よく抑制することができる。その結果、省エネ性・耐久性の高い機器を実現することができる。
【０１０５】
以上、本開示に係る冷蔵庫について、上記実施の形態を用いて説明してきたが、本開示は、これに限定されるものではなく、本開示の目的を達成する範囲内で種々変更可能であることは言うまでもない。すなわち、今回開示した実施の形態はすべての点で例示であって制限的なものではないと考えるべきである。つまり、本開示の範囲は上記した説明ではなくて請求の範囲によって示され、請求の範囲と均等の意味及び範囲内でのすべての変更が含まれることが意図される。
【０１０６】
なお、以上のそれぞれの実施形態だけでなく、以上のあらゆる実施形態の組み合わせも本開示の範囲内である。
【産業上の利用可能性】
【０１０７】
以上のように、本開示にかかる冷蔵庫は、凝縮器から伝わって生じる冷蔵庫本体の振動音を抑制でき、冷蔵庫の静音化を実現できる。したがって、家庭用冷蔵庫はもちろん、業務用冷蔵庫やショーケース或いは自動販売機など他の冷凍冷蔵応用商品にも適用できる。
【符号の説明】
【０１０８】
１  冷蔵庫
２  冷蔵庫本体
３  上部機械室（機械室）
４  凝縮器
５  第１のファン
６  圧縮機
３１  フィン群
３２  パイプ
３２ａ  入口側パイプ
３２ｂ  出口側パイプ
３３  冷媒配管
３４  支持具
３５  ビス
３６  リング状保持部
３７  弾性体
３８  防振フォーム
１０１  冷蔵庫本体
１０２  外箱
１０３  内箱
１０４  発泡断熱材
１０５  真空断熱材
１０６  冷蔵室（貯蔵室）
１０７  冷凍室
１０８  野菜室
１０９  扉
１１０  冷却室
１１１  冷却器
１１２  送風ファン
１１４  機械室
１１５  凝縮器
１１６  圧縮機
１１７  冷却ファン
１１８  機械室カバー
１１９  スリット開口
１２０  開口
１２１  フィン
１２２  間隔
１２３  パイプ
１２４  空気流入側端面
１２５  埃付着軽減部
１２６  上向端面
１２７  下向端面
１２８  山形形状部
１２９  傾斜面
１３０  下流側傾斜面
１３１  アール
【図１】
2017006565.tif 000003
【図２】
2017006565.tif 000004
【図３】
2017006565.tif 000005
【図４】
2017006565.tif 000006
【図５】
2017006565.tif 000007
【図６】
2017006565.tif 000008
【図７】
2017006565.tif 000009
【図８】
2017006565.tif 000010
【図９】
2017006565.tif 000011
【図１０】
2017006565.tif 000012
【図１１】
2017006565.tif 000013
【図１２】
2017006565.tif 000014
【図１３】
2017006565.tif 000015
【図１４】
2017006565.tif 000016
【図１５】
2017006565.tif 000017
【図１６】
2017006565.tif 000018
【図１７】
2017006565.tif 000019
【図１８】
2017006565.tif 000020
【図１９】
2017006565.tif 000021
【国際調査報告】
2017006565.tif 000022
2017006565.tif 000023
2017006565.tif 000024
2017006565.tif 000025